(57)【要約】【課題】ボルトに締結されたナットの脱落をボルトに特別な加工を施すことなく防止できるとともに、自らもボルトの振動によってボルトから外れることがないナットの脱落防止装置を提供する。【解決手段】振動によって緩むナットの脱落を防ぐためにボルト４に装着されるＵ字形の規制部材８であって、この規制部材８は前記ボルトを通過させる一側８ａから反対の他側８ｂに向かってボルト挿通開口９が形成された二又形状をなし、前記一側８ａの先端に拡開操作部１０を設け、この拡開操作部１０により前記ボルト挿通開口９を拡開して前記規制部材８を半径方向より前記ボルト４に差し込み、前記ボルト挿通開口９の拡開を解除して前記規制部材８の弾性復元力で前記ボルト挿通開口９の周縁９ａを前記ボルト４のネジ溝４ａに圧接させ、前記規制部材８が回転不動になるように前記ボルト４に装着させる。【選択図】図２
2016050671.tif 000002
【特許請求の範囲】
【請求項１】
振動によって緩むナットの脱落を防ぐためにボルトに装着されるＵ字形の規制部材であって、この規制部材は前記ボルトを通過させる一側から反対の他側に向かってボルト挿通開口が形成された二又形状をなし、前記一側の先端に拡開操作部を設け、この拡開操作部により前記ボルト挿通開口を拡開して前記規制部材を半径方向より前記ボルトに差し込み、前記ボルト挿通開口の拡開を解除して前記規制部材の弾性復元力で前記ボルト挿通開口の周縁を前記ボルトのネジ溝に圧接させ、前記規制部材が回転不動になるように前記ボルトに装着させることを特徴とする脱落防止装置。
【請求項２】
前記ボルト挿通開口の前記周縁は前記ボルトのネジ山の１ピッチ間に形成される前記ネジ溝に圧接させることを特徴とする請求項１に記載のナットの脱落防止装置。
【請求項３】
前記ボルト挿通開口の前記周縁が複数の半径方向に突出する断面矩形状の爪部よりなることを特徴とする請求項１または請求項２に記載のナットの脱落防止装置。
【発明の詳細な説明】
【技術分野】
【０００１】  この発明は、振動などでボルトに締結されたナットが緩み、このナットがボルトから脱落することを防止するための脱落防止装置に関するものである。
【背景技術】
【０００２】  周知のように、ボルトに締結されたナットの緩みを止めて脱落防止するものとして、切欠きにより非連続のリングをなし、内周に雌ネジを有するものが多数提案されている（特許文献１）。このようなナット緩み止めリングは、それ自体が有する弾性により、内周の雌ネジをボルトの雄ネジに押圧することによって、雄ネジとの間に作用する摩擦力を大きくして、緩み止め脱落を図ろうとするものである。
【先行技術文献】
【特許文献】
【０００３】
【特許文献１】特開昭５５−１１５６１３号公報
【発明の概要】
【発明が解決しようとする課題】
【０００４】  この特許文献１に記載のナット緩み止めリングでは、弾性力の大きさに限界があり、十分な緩み止め効果は得られず、しかも、通常のナットと同様に緩んでボルトから脱落してしまう虞があるので、抜け止め脱落の防止効果は得られないという問題があるとともに、必ずボルトの先端よりナットより後に螺合する必要があり、長尺の吊りボルトでは取り付けに手間がかかり作業時間が短縮できないなどの問題があった。【０００５】  この発明は、以上のような点を考慮してなされたもので、ボルトに締結されたナットの脱落をボルトに特別な加工を施すことなく防止できるとともに、自らもボルトの振動によってボルトから外れることがなく、しかも、ボルトからナットを分解する際は、ナットを簡単に分離することできる。
また、ボルトへの装着はボルトのネジ先からナットと同じように螺合するのでなく、ボルトに締結したナットの位置に差し込むだけでボルトに装着でき、組み付け作業を簡単にすることを目的とする。
【課題を解決するための手段】
【０００６】  前記課題を解決し、かつ目的を達成するために、この発明は、以下のように構成した。【０００７】  請求項１に記載の発明は、振動によって緩むナットの脱落を防ぐためにボルトに装着されるＵ字形の規制部材であって、この規制部材は前記ボルトを通過させる一側から反対の他側に向かってボルト挿通開口が形成された二又形状をなし、前記一側の先端に拡開操作部を設け、この拡開操作部により前記ボルト挿通開口を拡開して前記規制部材を半径方向より前記ボルトに差し込み、前記ボルト挿通開口の拡開を解除して前記規制部材の弾性復元力で前記ボルト挿通開口の周縁を前記ボルトのネジ溝に圧接させ、前記規制部材が回転不動になるように前記ボルトに装着させることを特徴とする脱落防止装置である。【０００８】  請求項２に記載の発明は、前記ボルト挿通開口の前記周縁は前記ボルトのネジ山の１ピッチ間に形成される前記ネジ溝に圧接させることを特徴とする請求項１に記載のナットの脱落防止装置である。【０００９】  請求項３に記載の発明は、前記ボルト挿通開口の前記周縁が複数の半径方向に突出する断面矩形状の爪部よりなることを特徴とする請求項１または請求項２に記載のナットの脱落防止装置である。【００１０】
【発明の効果】
【００１１】  前記構成により、この発明は、以下のような効果を有する。【００１２】  請求項１に記載の発明では、振動によって緩むナットの脱落を防ぐためにボルトに装着されるＵ字形の規制部材であって、この規制部材は前記ボルトを通過させる一側から反対の他側に向かってボルト挿通開口が形成された二又形状をなし、前記一側の先端に拡開操作部を設け、この拡開操作部により前記ボルト挿通開口を拡開して前記規制部材を半径方向より前記ボルトに差し込み、前記ボルト挿通開口の拡開を解除して前記規制部材の弾性復元力で前記ボルト挿通開口の周縁を前記ボルトのネジ溝に圧接させ、前記規制部材が回転不動になるように前記ボルトに装着させたので、前記ボルトの振動で前記ナットが緩んでも前記規制部材は緩むことがなく、緩んだ前記ナットの脱落を確実に防ぐことができ、しかも、前記規制部材は前記ボルトのネジ先から回転させながら前記ボルトに装着させるのでなく、前記ボルトの途中から前記ナットの上面または下面に差し込み前記ボルトに装着できて作業効率が向上することになる。【００１３】  請求項２に記載の発明では、前記ボルト挿通開口の前記周縁は前記ボルトのネジ山の１ピッチ間に形成される前記ネジ溝に圧接させたので、前記規制部材の板厚は薄くなり、切削、転造加工の必要がなく平板をプレス加工するのみで簡単に作製できる。【００１４】  請求項３に記載の発明では、前記ボルト挿通開口の前記周縁が複数の半径方向に突出する断面矩形の爪部よりなるので、前記ボルトの前記ネジ溝に前記爪部のエッジが喰い込むことになり、前記規制部材が回転しないように確実に固着できる。
【図面の簡単な説明】
【００１５】
【図１】この発明の使用状態を示す模式図。
【図２】この発明の第１の実施の態様を示す平面図。
【図３】この発明の要部を示す拡大断面図。
【図４】この発明の第２の実施の態様を示す平面図。
【発明を実施するための形態】
【００１６】  以下、この発明のナットの脱落防止装置の実施の形態について説明する。この発明の実施の形態は、発明の最も好ましい形態を示すものであり、この発明にこれは限定されない。
【００１７】  この発明の第１の実施の形態を、図１乃至図３に基づいて説明する。図１はナットの脱落防止装置を実施した一例を示すもので、符号１で示されるものは天井などに取付けられる空調機である。
【００１８】  前記空調機１の側面１ａには、ブラケット２が固定され、このブラケット２が天井などの支持枠３より垂下する吊りボルト４と、これに螺合する上ナット５及び下ナット６により締結される。なお、７は前記ブラケット３と前記上ナット５及び下ナット６との間に介在したワッシャーである。
【００１９】  前記下ナット６の下面には、この下ナット６の脱落を防止する規制部材８が前記ボルト４に装着される。この規制部材８は弾性のあるステンレス鋼、ばね鋼、鋼鉄などの材料にする。
【００２０】  前記規制部材８は平板をプレス加工した略Ｕ字形よりなり、前記ボルト４を通過させる一側８ａから反対の他側８ｂに向かってボルト挿通開口９が形成された二又形状をなし、前記ボルト挿通開口９の開口幅は前記ボルト４のネジ溝４ａの谷の径より小さくする。
【００２１】  前記ボルト４が通過する前記規制部材８の前記一側８ａの先端に拡開操作部１０を設け、この拡開操作部１０に小穴１１を穿設し、前記小孔１１にサークリッププライヤー等の工具（図示せず）を係止して、前記ボルト挿通開口９を拡開して前記規制部材８を半径方向より前記ボルト４に差し込む。
【００２２】  次に、前記工具の係止を外して前記ボルト挿通開口９の拡開を解除すると、前記規制部材８の弾性復元力で前記ボルト挿通開口９の周縁９ａが前記ボルト４の前記ネジ溝４ａに圧接され、前記規制部材９が回転不動になるように前記ボルト４に装着させる。
【００２３】  特に、前記拡開操作部１０をナット外径寸法以上に半径方向に突出させることにより、ナットの締結位置にかかわらず、サークリッププライヤー等の工具を前記小穴に係止して行う前記ボルト４に対する前記規制部材８の差し込み、抜き出す作業が容易にできる。
【００２４】  前記ボルト挿通開口９の前記周縁９ａは前記ボルト４のネジ山４ｂの１ピッチ間に形成される前記ネジ溝４ａに圧接されるようにし、前記規制部材８の板厚を前記ボルト４の前記ネジ山４ｂの略１ピッチ程度にする。
【００２５】  前記ボルト挿通開口９の前記周縁９ａを半径方向に突出する複数の爪部９ｂとし、この爪部９ｂは通常のナットのネジ山の山形（三角または台形）とは異なり断面矩形状になっており、このため、前記爪部９ｂのエッジ９ｃが前記ボルト４のネジ溝４ａに喰い込み、前記規制部材８が前記ボルト４に対して回転不動になる。
【００２６】  前記爪部９ｂは前記ボルト４の前記ネジ山４ｂの１ピッチ間の前記ネジ溝４ａに圧接させるために、複数の前記爪部９ｂの各位置を前記ネジ溝４ａの傾斜に対応して軸方向にずれるようにして、前記規制部材８を水平状態で前記下ナット６の下面に当接させる。
【００２７】  前記爪部９ｂの半径方向への突出量を大きくすると、前記規制部材８の外周の幅が狭くなり、前記ボルト挿通開口９の拡開がし易く、前記規制部材８の前記ボルト４への差し込みが円滑にできる。なお、前記周縁９ａは複数の前記爪部９ｂとしたが、このつめ部９ｂを連続させて一体にしてもよい。
【００２８】  前記規制部材８の幅を前記下ナット６の外径と同じにして、前記規制部材８が前記下ナット６からはみ出さないようにすると、前記空調機１に接触して傷をつけることがなくなり、しかも、狭い空間での作業がし易くなる。
【００２９】  次に、第２の実施の形態を、図４に基づいて説明する。この実施の形態において第１の実施の形態と同じ構成は同一の符号を付して説明する。
【００３０】  この第２の実施の形態では、第１の実施の態様で説明した前記拡開操作部１０に設ける前記小孔１１を半月状の切欠け１２にし、この切欠け１２にサークリッププライヤー等の工具（図示せず。）を係止して前記ボルト挿通開口９を拡開して前記ボルト４に前記規制部材８を差し込む。
【００３１】  前記切欠け１２では前記拡開操作部１０の内方への突出がないので、前記ボルト挿通開口９の開口幅Ｗが広くなり、前記拡開操作部１０による拡開を大きくしなくしても、前記規制部材８を簡単に前記ボルト４に差し込むことができ、しかも、前記規制部材８の弾性変形が少なくなり、材料に大きな負担がかからないので、前記規制部材８が折れるなどの破損を減少できる。
なお、前記規制部材８を金属材料しているが、これをプラスチックやセラミック等の非金属材料にしてもよい。
【００３２】  以上の構成におけるナットの脱落防止装置は、前記空調機１を吊るす前記ボルト４の振動によって緩む前記下ナット６の脱落を防止し、しかも、前記規制部材８の前記ボルト挿通開口９の前記周縁９ａは前記ボルト４の前記ネジ溝４ａに圧接して前記規制部材８が回転不動に装着され、前記ボルト４が振動しても前記規制部材８は緩み脱落しない。
【００３３】  一方、空調機の保守点検をするために前記ボルト４から前記下ナット６を分解す場合は、前記規制部材８を前記ボルト４の半径方向に引き抜いた後、前記ボルト４から前記下ナットを軸方向に移動させて分離する。
前記規制部材８では前記ボルト挿通開口９の前記周縁９ａの圧接により前記ボルト４の前記ネジ溝４ａに細かい凹み傷はできるが、このような凹み傷では前記下ナット６が支障なく回転するので、前記ボルト４と前記下ナット６の締結を繰り返し行うことができる。
なお、前記規制部材８を前記下ナット６の下面に装着したが、前記上ナット５の上面に前記規制部材８を装着してもよい。
【産業上の利用可能性】
【００３４】  この発明は、ボルトの振動により緩んだナットの脱落を確実に防ぎ、ボルトへ簡単に装着でき、しかも製作が容易なナットの脱落防止装置である。
【符号の説明】
【００３５】  １    空調機
１ａ    側面
２    ブラケット
３    支持枠
４    吊りボルト
４ａ    ボルトのネジ溝
４ｂ    ボルトのネジ山
５    上ナット
６    下ナット
７    ワッシャー
８    規制部材
８ａ    規制部材の一側
８ｂ    規制部材の他側
９    ボルト挿通開口
９ａ    周縁
９ｂ    爪部
９ｃ    爪部のエッジ
１０    拡開操作部
１１    小穴
１２    切欠け
Ｗ    開口幅
【図１】
2016050671.tif 000003
【図２】
2016050671.tif 000004
【図３】
2016050671.tif 000005
【図４】
2016050671.tif 000006